(57)【要約】【課題】汎用の構成で、より精度良く、カード共振周波数を求めることができるようにする。【解決手段】検出用アンテナ１１には、可変コンデンサＣａが並列に接続されており、可変コンデンサＣａの容量を変更することで、検出用アンテナ１１の共振周波数を変更できる。変更後、ＩＣカード１３−検出用アンテナ１１間の距離を変えつつ、インピーダンス測定装置１２によって検出用アンテナ１１の入力インピーダンスを測定する。そして、入力インピーダンスのリアクタンス成分の変化が最小となる検出用アンテナ１１の共振周波数を、ＩＣカード１３の共振周波数と見なす。【選択図】　　　図１
2004093432.tif 000002
【特許請求の範囲】
【請求項１】
可変コンデンサにより共振回路を形成した検出用アンテナの共振周波数を任意に設定し、
該設定した共振周波数において、測定対象の非接触型ＩＣカード・メディアと前記検出用アンテナとの距離を変えつつ該検出用アンテナの入力インピーダンスを測定し、
該測定した入力インピーダンスのリアクタンス成分の変化が最小となる共振周波数を、前記非接触型ＩＣカード・メディアの共振周波数と見なすことを特徴とする非接触型ＩＣカード・メディアの共振周波数測定方法。
【請求項２】
印加直流電圧により静電容量が変化するコンデンサが、導体に、共振回路を形成するように接続された検出用アンテナと、
該検出用アンテナの入力インピーダンスを測定するインピーダンス測定装置と、
測定対象の非接触型ＩＣカード・メディアと前記検出用アンテナとの距離を変化させるための昇降装置と、
前記コンデンサに直流電圧を印加する直流電源、前記インピーダンス測定装置、前記昇降装置の各々の制御・信号処理を行う制御装置と、
を有することを特徴とする非接触型ＩＣカード・メディアの共振周波数測定システム。
【請求項３】
前記制御装置は、直流電源の出力電圧を変えることにより前記検出用アンテナの共振周波数を設定し、該設定した共振周波数において、前記昇降装置により前記非接触型ＩＣカード・メディアと前記検出用アンテナとの距離を変化させつつ、前記インピーダンス測定装置により前記検出用アンテナの入力インピーダンスを測定させる制御を行い、
該測定した入力インピーダンスのリアクタンス成分の変化が最小となる共振周波数を求めることを特徴とする請求項２記載の非接触型ＩＣカード・メディアの共振周波数測定システム。
【請求項４】
コンピュータに、
直流電源を制御してその出力電圧を変えることにより検出用アンテナの共振周波数を設定する機能と、
該設定した共振周波数において、昇降装置を制御して、測定対象の非接触型ＩＣカード・メディアと前記検出用アンテナとの距離を変化させる機能と、
該各距離における前記検出用アンテナの入力インピーダンスを、インピーダンス測定装置により測定させる機能と、
該測定した入力インピーダンスのリアクタンス成分の変化が最小となる共振周波数を求める機能と、
を実現させる為のプログラム。
【発明の詳細な説明】
【０００１】
【発明の属する技術分野】
本発明は、非接触型ＩＣカード・メディアの共振周波数の測定方法、そのシステム等に関する。
【０００２】
【従来の技術】
近年、無線により通信可能な非接触型のＩＣカード／タグ／リストバンド等（以下、これらを総称して非接触型ＩＣカード・メディアと呼ぶものとする）の導入が盛んになっている。これに伴い、非接触型ＩＣカード・メディアへの信頼性、エンボス加工の必要性、磁気ストライプとの併用等、多くの要求を満足することが必要になっている。このため、非接触型ＩＣカード・メディアは、それぞれのシステム及びメーカによって、多種多様なものが作られるようになってきている。
【０００３】
ここで、非接触型ＩＣカード・メディアにおいて、その共振周波数ｆｃは、読み取り装置（非接触型ＩＣカード・メディアのリーダ／ライタ（Ｒ／Ｗ））から、非接触型ＩＣカード・メディアへの電力や信号の伝送効率や、同時に使用できるカード枚数等を決める重要なパラメータである。したがって、非接触型ＩＣカード・メディアを用いるシステムを構築する際には、非接触型ＩＣカード・メディア自体の共振周波数を正確に知ることが必要となる。
【０００４】
図８（ａ）は従来の共振周波数測定用のシステム構成図であり、図８（ｂ）はその検出用アンテナの具体例を示す図である。
図示の測定システムは、ネットワークアナライザ５１に検出用アンテナ５２を接続し、検出用アンテナ５２に印加する電圧の周波数を掃引し、測定対象のＩＣカード５３（非接触型ＩＣカード）からの反射を測定するシステム構成である。検出用アンテナ５２は、例えば、図８（ｂ）に示すように、２ターン導体のアンテナである。
【０００５】
図９に、上記ネットワークアナライザ５１による測定結果の一例を示す図であり、周波数−反射特性を示すものである。
図９に示すように、ＩＣカード５３が無い状態で測定した場合には、くぼみの無い平坦な特性となる。一方、ＩＣカード５３を検出用アンテナ５２の近傍に置き、検出用アンテナ５２に印加する電圧の周波数を掃引し（図示の例では１３（ＭＨｚ）〜１５（ＭＨｚ）の範囲内で周波数を変化させている）、その反射を測定した場合には、図示の通り、ＩＣカード５３の共振周波数に依存するくぼみを有する特性となる。つまり、このくぼみの底（最小値）に対応する周波数を、ＩＣカード５３の共振周波数と見なすことができる。
【０００６】
しかしながら、上記従来の一般的な測定方法では、測定精度が良くないという欠点があった。これについて、図１０を参照して説明する。
図１０は、検出用アンテナ５２−ＩＣカード５３間の距離と、各距離における測定結果に基づいて判定された共振周波数との関係を示す図である。この例では、ＩＣカード５３の実際の共振周波数は、１３．７（ＭＨｚ）である。しかしながら、図示の通り、検出用アンテナ５２−ＩＣカード５３間の距離が短いほど、誤差が大きくなる。よって、測定精度を良くする為には、検出用アンテナ５２−ＩＣカード５３間の距離を大きくする必要があるが、距離を大きくすると測定感度が低下する為、測定できなくなるという問題があった。
【０００７】
また、従来、近接型非接触ＩＣカードの共振周波数を、光を用いて、正確に測定する手法が提案されている（例えば、非特許文献１参照）。
この手法は、非接触ＩＣカードのループアンテナに流れる電流により生じた電界変化を、電気光学結晶が屈折率の変化に変換し、この屈折率変化をレーザー光の偏向として検出する為の構成（レーザダイオード、光強度検出素子、電気光学結晶等）を１つにまとめたＥＯＳプローブを用いる。ＥＯＳプローブを、ＥＯＳプローブサンプリングオシロスコープに接続し、掃引周波数−電界強度関係を測定し、電界強度が最大になる周波数を、共振周波数とする。
【０００８】
この手法により、より正確な非接触ＩＣカード共振周波数の測定ができる。
【０００９】
【非特許文献１】
外１　　「非接触ＩＣカード共振周波数のＥＯＳプローブを用いた測定」
【外１】
2004093432.tif 000003
、信学技報　ＣＳ９９−３３，ＲＳＣ９９−２５（１９９６−０６）；社団法人
電子情報通信学会
【００１０】
【発明が解決しようとする課題】
上記のように、従来の一般的な測定方法では、測定精度が良くないという問題があった。
【００１１】
また、より正確な測定が行えるようにする為に、例えば、上記非特許文献１記載の手法が提案されているが、この手法では、ＥＯＳプローブ等の特別な構成が必要となり、コスト高となる。また、測定精度の点でも、未だ十分とは言えない。更に、測定を自動化することが考えられていないので、手間が掛かり、人的要因による測定のバラツキが生じていた。
【００１２】
本発明の課題は、汎用の構成で、より精度良くカード共振周波数を求めることができ、更に人的要因による測定のバラツキを排除できる非接触型ＩＣカード・メディアの共振周波数測定方法、及びそのシステム等を提供することである。
【００１３】
【課題を解決するための手段】
本発明による非接触型ＩＣカード・メディアの共振周波数測定方法は、可変コンデンサにより共振回路を形成した検出用アンテナの共振周波数を任意に設定し、該設定した共振周波数において、測定対象の非接触型ＩＣカード・メディアと前記検出用アンテナとの距離を変えつつ該検出用アンテナの入力インピーダンスを測定し、該測定した入力インピーダンスのリアクタンス成分の変化が最小となる共振周波数を、前記非接触型ＩＣカード・メディアの共振周波数と見なすものである。
【００１４】
上記共振周波数測定方法は、検出用アンテナの共振周波数の値が、非接触型ＩＣカード・メディアの共振周波数と一致する場合には、上記距離を変えて測定した入力インピーダンスのリアクタンス成分の変化（距離特性）が最小となる、という現象を利用している。これにより、汎用の構成で精度良くカード共振周波数を求めることができる。
【００１５】
また、本発明による非接触型ＩＣカード・メディアの共振周波数測定システムは、印加直流電圧により静電容量が変化するコンデンサが、導体に、共振回路を形成するように接続された検出用アンテナと、該検出用アンテナの入力インピーダンスを測定するインピーダンス測定装置と、測定対象の非接触型ＩＣカード・メディアと前記検出用アンテナとの距離を変化させるための昇降装置と、前記コンデンサに直流電圧を印加する直流電源、前記インピーダンス測定装置、前記昇降装置の各々の制御・信号処理を行う制御装置と、を有するように構成する。
【００１６】
上記構成の測定システムでは、印加直流電圧により静電容量が変化するコンデンサを用いることにより、手作業により可変コンデンサの静電容量を変更することなく、制御装置（コンピュータ）による直流電源の制御により検出用アンテナの共振周波数を任意に設定できるので、上記共振周波数測定方法の自動化を実現できる。すなわち、例えば、前記制御装置は、直流電源の出力電圧を変えることにより前記検出用アンテナの共振周波数を設定し、該設定した共振周波数において、前記昇降装置により前記非接触型ＩＣカード・メディアと前記検出用アンテナとの距離を変化させつつ、前記インピーダンス測定装置により前記検出用アンテナの入力インピーダンスを測定させる制御を行い、該測定した入力インピーダンスのリアクタンス成分の変化が最小となる共振周波数を求めるようにすることができる。
【００１７】
これにより、人手による手間が掛からず且つ人的要因による測定のバラツキを排除できる。
なお、上述した本発明の各構成により行なわれる機能と同様の制御をコンピュータに行なわせるプログラムを記憶したコンピュータ読み取り可能な記憶媒体から、そのプログラムをコンピュータに読み出させて実行させることによっても、前述した課題を解決することができる。
【００１８】
つまり、本発明は、上記プログラム自体、または当該プログラムを記録した記録媒体自体（特に可搬型記録媒体）として構成することもできる。
【００１９】
【発明の実施の形態】
以下、図面を参照して、本発明の実施の形態について説明する。
尚、本発明による共振周波数測定手法の適用対象は、上記非接触型ＩＣカード・メディア（非接触型のＩＣカード／タグ／リストバンド等）であるが、以下の説明では非接触型ＩＣカードを例にして説明する。勿論、この例に限るわけではない。
【００２０】
図１（ａ）に、本手法に係わる共振周波数測定システムの構成例を示し、図１（ｂ）にはその検出用アンテナの構成例を示す。
図１（ａ）に示す共振周波数測定システムは、検出用アンテナ１１と、この検出用アンテナ１１のインピーダンスを測定するインピーダンス測定装置１２とから構成される。
【００２１】
検出用アンテナ１１は、図１（ｂ）に示す例では、図８（ｂ）で示した２ターン導体のアンテナに、可変コンデンサＣａを並列接続した構成となっており、可変コンデンサＣａとアンテナのインダクタンスとで共振回路を形成する（共振周波数をｆａとする）。
【００２２】
測定の際には、まず可変コンデンサＣａの静電容量を任意に設定することで、検出用アンテナ１１の共振周波数ｆａを設定する。そして、設定した共振周波数ｆａにおいて、測定対象であるＩＣカード１３（非接触型ＩＣカード）と、検出用アンテナ１１との間の距離を変化させつつ、インピーダンス測定装置１２によって、各距離における検出用アンテナ１１の入力インピーダンスを測定する。
【００２３】
ここで、本出願の発明者は、検出用アンテナ１１の共振周波数ｆａの値が、前記非接触型ＩＣカード・メディアの共振周波数ｆｃと一致するときに、上記距離を変えて測定した入力インピーダンスのリアクタンス成分の変化（距離特性）が、最小となることを、実験結果に基づいて見つけ出している。
【００２４】
図２は、上記実験結果の一例を示す図である。
図示の実験結果は、非接触型ＩＣカードの共振周波数をパラメータとし、検出用アンテナと非接触型ＩＣカードとの距離を変えて、検出用アンテナの入力インピーダンスのリアクタンス成分Ｘを測定した例である。
【００２５】
検出用アンテナの共振周波数ｆａは、１３．５６ＭＨｚになるように可変コンデンサＣａを調整している。また、非接触型ＩＣカードは、その共振周波数が各々１３．２，　１３．３，　１３．４，　１３．５６，　１３．７，　１３．８，　１３．９（ＭＨｚ）である７種類のカードを用意した。そして、各カード毎に、上記の通り、検出用アンテナと非接触型ＩＣカードとの距離を、０（ｍｍ）〜１００（ｍｍ）の範囲内で変更しつつ、検出用アンテナの入力インピーダンスのリアクタンス成分Ｘを測定した。
【００２６】
図示の実験結果では、非接触型ＩＣカードの共振周波数が、検出用アンテナの共振周波数ｆａより小さい場合（その共振周波数が１３．２，　１３．３，　１３．４（ＭＨｚ）のカードの場合）、距離を変えつつ測定した結果は、図示の通り（図中、△（三角）、□（四角）、◇（菱形）で示すグラフの通り）、リアクタンス値は、正の領域を移動する。但し、図示の例では、全てのリアクタンス値が正の領域内に存在するが、実際には、一部が（特に、比較的距離が短いとき）、負の値となる場合もある。しかし、全体としては（例えば平均値）正の値となる。
【００２７】
一方、非接触型ＩＣカードの共振周波数が、検出用アンテナの共振周波数ｆａより大きい場合（その共振周波数が１３．７，　１３．８，　１３．９（ＭＨｚ）のカードの場合）、距離を変えつつ測定した結果は、図示の通り（図中、黒三角、黒四角、黒菱形で示すグラフの通り）、リアクタンス値は、負の領域を移動する。尚、この場合も、上記と同様、一部が、正の値となる場合もあり得るが、全体としては、負の値となる。
【００２８】
そして、非接触型ＩＣカードの共振周波数が、検出用アンテナの共振周波数ｆａと一致する場合、図示の通り（図中、黒丸で示す）、リアクタンスの値は、ほぼゼロのまま推移する（これを“リアクタンス成分の変化が最小となる”と表現するものとする）。
【００２９】
本例による非接触型ＩＣカードの共振周波数測定方法、及びそのシステムでは、このような実験結果により発見された現象を利用して、共振周波数の測定を行う。
【００３０】
図３に、共振周波数の測定手順の一例を示す。
まず、検出用アンテナ１１の共振周波数ｆａが任意の初期値（＝ｆ０）となるように、可変コンデンサＣａの静電容量を設定する（Ｃａ＝Ｃ０）。（ステップＳ１）。
【００３１】
次に、検出用アンテナ１１とＩＣカード１３との距離を変えつつ、各距離（各位置）において検出用アンテナ１１の入力インピーダンスのリアクタンスＸを測定する。つまり、リアクタンスＸの距離特性を測定する（ステップＳ２）。
【００３２】
そして、この距離特性に基づいて、ＩＣカード１３の共振周波数が、検出用アンテナ１１の共振周波数ｆａ（最初はｆ０）より大きいか、小さいか、あるいは一致するかを判定する（ステップＳ３）。
【００３３】
ステップＳ３の判定の方法は、様々であってよいが、例えば、図３で説明した通り、図３の図中、△（三角）、□（四角）、◇（菱形）で示す例（カードの共振周波数がｆａより小さい）では、リアクタンスＸの距離特性は基本的には正の領域を推移するものであり、図中、黒三角、黒四角、黒菱形で示す例（カードの共振周波数がｆａより大きい）では、リアクタンスＸの距離特性は基本的には負の領域を推移するものであるので、例えばリアクタンスＸの平均値を算出し、平均値が正の値であれば“カードの共振周波数がｆａより小さい”と判定し、平均値が負の値であれば“カードの共振周波数がｆａより大きい”と判定する。
【００３４】
あるいは、例えば、図３に示す通り、距離０から測定を開始して徐々に距離を大きくしつつ測定を行った場合には、途中までは、図３の図中、△（三角）、□（四角）、◇（菱形）で示す例では増加傾向（グラフの傾きが正）、図中、黒三角、黒四角、黒菱形で示す例では減少傾向（グラフの傾きが負）を示すので、この点から、ステップＳ３の判定を行うようにしてもよい。
【００３５】
そして、ステップＳ３の判定において、ＩＣカード１３の共振周波数がｆａより大きいと判定された場合には、可変コンデンサＣａの静電容量を減少させることによりｆａの値を大きくする（ステップＳ５）。一方、ＩＣカード１３の共振周波数がｆａより小さいと判定された場合には、可変コンデンサＣａの静電容量を増やすことによりｆａの値を小さくする（ステップＳ４）。そして、新たに設定したアンテナ共振周波数にて、再び、リアクタンスＸの距離特性を測定する（ステップＳ２）。
【００３６】
以上の過程を繰り返し、リアクタンスＸの距離による変化が最小となった場合（つまり、リアクタンスの値が、ほぼゼロのまま推移する場合）、ステップＳ３で“一致”と判定し、そのときの検出用アンテナ１１の共振周波数ｆａの設定値が、ＩＣカード１３の共振周波数ｆｃであるものと見なす（ステップＳ６）。
【００３７】
以上述べた測定手法によれば、汎用の構成で、精度良く、非接触型ＩＣカードの共振周波数を求めることができる。
以上の測定手順は、人間が手作業によって行ってもよいが、自動化することにより、手間が掛からず且つ人的要因による測定のバラツキが無くなるようにできる。
【００３８】
図４は、上記測定手順を自動化した自動測定システムの構成例である。
図４に示す自動測定システム２０は、コンピュータ２１、インピーダンス測定装置２２、直流電源２３、昇降装置２４、及び検出用アンテナ２５より成る。昇降装置２４は、上下に移動可能な可動部２４ａを有しており、この可動部２４ａに、測定対象のＩＣカード２６（非接触型ＩＣカード）を取り付ける。
【００３９】
コンピュータ２１は、インピーダンス測定装置２２に接続して、その測定データを取得する。
また、直流電源２３、昇降装置２４は、コンピュータ２１により制御される。
【００４０】
すなわち、昇降装置２４は、コンピュータ２１の制御により、可動部２４ａを任意の位置に移動させる。つまり、ＩＣカード２６−検出用アンテナ２５間の距離を変更する。直流電源２３は、コンピュータ２１の制御により、出力電圧値を変更する。これにより、以下に説明するように、検出用アンテナ２５の共振周波数を変更する。
【００４１】
図５（ａ）は、検出用アンテナ２５の構成の一例を示す図である。
図示の例の検出用アンテナ２５は、内側２ターン導体をインピーダンス測定装置２２に接続し、外側２ターン導体に可変容量コンデンサ部２５ａを接続した構成となっている。但し、これは一例であり、例えば、図１（ｂ）に示す構成において可変コンデンサＣａに代えて可変容量コンデンサ部２５ａを接続した構成であってもよい。
【００４２】
図５（ｂ）に可変容量コンデンサ部２５ａの構成例を示す。
可変容量コンデンサ部２５ａは、コンデンサＣ１、Ｃ２、及び直流電源２３より成る。コンデンサＣ１は、例えば図６に示すＦ特性（Ｂ特性でも可）を持つセラミックコンデンサ等（例えば、ＧＲＭ３２Ｍ１Ｘ２Ｈ３３１ＪＶ０１Ｂ，Ｆ；村田製作所等）である。すなわち、印加直流電圧の値に応じて静電容量が変化するコンデンサである。よって、直流電源２３の出力電圧値を変えて、コンデンサＣ１の静電容量を変えることにより、検出用アンテナ２５の共振周波数を変更することができる。尚、直流電源２３の出力電圧値と検出用アンテナ２５の共振周波数との対応関係を、予め実験等により求めてコンピュータ２１に記憶させておくことが望ましい。尚、可変容量コンデンサ部２５ａも、可変コンデンサと呼ぶものとする。
上記構成において、コンピュータ２１には、図３の手順を実現するプログラムが格納されている。このプログラムを実行させることで、自動的にＩＣカードの共振周波数を測定できる。すなわち、コンピュータ２１は、まず、直流電源２３を制御してその出力電圧値を変えることにより検出用アンテナ２５の共振周波数（初期値）を設定する。次に、設定した共振周波数において、昇降装置２４を制御して、測定対象のＩＣカード２６と検出用アンテナ２５との距離を変化させると共に、該各距離における検出用アンテナ２５の入力インピーダンスを、インピーダンス測定装置２２により測定させ、測定結果を取得する。　そして、測定結果に基づいて、上記ステップＳ３の判定において“一致”と判定されるまで、検出用アンテナ２５の共振周波数を増加または減少させて、変更後の共振周波数において、上記距離を変えた測定を行う処理を繰り返し実行する。
【００４３】
尚、“一致”するか否か、すなわちリアクタンスＸの距離による変化が最小となるか否かの判定は、例えば、リアクタンスＸの最小値と最大値の差が、予め設定される所定の閾値以下になるか否か、あるいは全てのリアクタンスＸの値が、予め設定される所定の範囲内に収まるか否か等を判定基準にして行う。
【００４４】
図７は、上述したコンピュータ２１のハードウェア構成の一例を示す図である。
同図に示すコンピュータ３０（２１）は、ＣＰＵ３１、メモリ３２、入力部３３、出力部３４、記憶部３５、記録媒体駆動部３６、及びネットワーク接続部３７を有し、これらがバス３８に接続された構成となっている。同図に示す構成は一例であり、これに限るものではない。
【００４５】
ＣＰＵ３１は、当該コンピュータ３０全体を制御する中央処理装置である。
メモリ３２は、プログラム実行、データ更新等の際に、記憶部３５（あるいは可搬型記録媒体３９）に記憶されているプログラムあるいはデータを一時的に格納するＲＡＭ等のメモリである。ＣＰＵ３１は、メモリ３２に読み出したプログラム／データを用いて、上述してある処理（図４に示す手順を実現する処理）を実行する。
【００４６】
入力部３３、出力部３４は、あっても無くてもよいが、入力部３３は、例えば、キーボード、マウス等であり、出力部３４は、例えばディスプレイ等である。ネットワーク接続部３７は、例えば不図示のイントラネットやインターネット、ＬＡＮ、その他専用線等のネットワークに接続して、他の情報処理装置とのコマンド／データ送受信を行う為の構成である。
【００４７】
記憶部３５は、例えばハードディスク等であり、上述した処理・機能を、コンピュータ２１に実行させるためのプログラム／データが格納されている。
あるいは、これらプログラム／データは、可搬型記録媒体３９に記憶されているものであってもよい。この場合、可搬型記録媒体３９に記憶されているプログラム／データは、記録媒体駆動部３６によって読み出される。可搬型記録媒体３９とは、例えば、ＦＤ（フレキシブル・ディスク）３９ａ、ＣＤ−ＲＯＭ３９ｂ、その他、ＤＶＤ、光磁気ディスク等である。
【００４８】
あるいは、また、上記プログラム／データは、ネットワーク接続部３７により接続しているネットワークを介して、他の装置内に記憶されているものをダウンロードするものであってもよい。あるいは、更に、インターネットを介して、外部の他の装置内に記憶されているものをダウンロードするものであってもよい。
【００４９】
また、本発明は、上記本発明の各種処理をコンピュータ上で実現するプログラムを記録した可搬型記憶媒体として構成することもできる。あるいは、当該プログラム自体として構成することもできる。
【００５０】
【発明の効果】
以上、詳細に説明したように、本発明の非接触型ＩＣカード・メディアの共振周波数測定方法、そのシステム、プログラム等によれば、検出用アンテナと非接触型ＩＣカード・メディアとの距離を変えつつ測定した、検出用アンテナの入力インピーダンスのリアクタンス成分の変化が、最小となるような検出用アンテナの共振周波数が、カード共振周波数に一致するという現象を利用して、カード共振周波数を求めることにより、汎用の構成で精度良くカード共振周波数を求めることができる。
【００５１】
また、検出用アンテナの共振周波数を決定するコンデンサとして、直流電圧によって静電容量が変化するコンデンサを用いることにより、カード共振周波数の測定を自動化でき、人的要因による測定のバラツキが無くなり、標準的な測定方法として使用できるようになる。
【図面の簡単な説明】
【図１】（ａ）は本手法に係わる共振周波数測定システムの構成例、（ｂ）はその検出用アンテナの構成例を示す図である。
【図２】本手法の根拠となる実験結果の一例を示す図である。
【図３】本手法による共振周波数の測定手順の一例を示す。
【図４】図３の測定手順を自動化した自動測定システムの構成例を示す図である。
【図５】（ａ）は検出用アンテナの構成の一例、（ｂ）はその可変容量コンデンサ部の構成例を示す図である。
【図６】印加直流電圧の値に応じて静電容量が変化するコンデンサの特性例を示す図である。
【図７】コンピュータのハードウェア構成の一例を示す図である。
【図８】（ａ）は従来の共振周波数測定用のシステム構成図、（ｂ）はその検出用アンテナの具体例を示す図である。
【図９】ネットワークアナライザによる測定結果の一例を示す図である。
【図１０】測定精度が検出用アンテナ−ＩＣカード間の距離によって変わる様子を示す実験データ図である。
【符号の説明】
１１　検出用アンテナ
１２　インピーダンス測定装置
１３　ＩＣカード
２１　コンピュータ
２２　インピーダンス測定装置
２３　直流電源
２４　昇降装置
２４ａ　可動部
２５　検出用アンテナ
２６　ＩＣカード
３１　ＣＰＵ
３２　メモリ
３３　入力部
３４　出力部
３５　記憶部
３６　記録媒体駆動部
３７　ネットワーク接続部
３８　バス
３９　可搬型記録媒体
３９ａ　ＦＤ（フレキシブル・ディスク）
３９ｂ　ＣＤ−ＲＯＭ
【図１】
2004093432.tif 000004
【図２】
2004093432.tif 000005
【図３】
2004093432.tif 000006
【図４】
2004093432.tif 000007
【図５】
2004093432.tif 000008
【図６】
2004093432.tif 000009
【図７】
2004093432.tif 000010
【図８】
2004093432.tif 000011
【図９】
2004093432.tif 000012
【図１０】
2004093432.tif 000013